(57)【特許請求の範囲】
【請求項１】
ヒト頭部のうち、下顎部、頬部、側頭部及び頭頂部に嵌め当てたとき、下顎部から頭頂部に向けて締め付けるように適合されたループ帯状の縦回り弾性体と、ヒト頭部のうち、前頭部、側頭部及び後頭部に嵌め当てたとき、前頭部から後頭部に向けて締め付けるように適合されたループ帯状の横回り弾性体とから構成される、顔用ターバンであって、
前記縦回り弾性体は、
伸縮性のあるループ帯状の袋体と、
該袋体の中に収容されそして同袋体に取付け固定された少なくとも２種の当て面材、即ち下顎前部を含めヒト頭部の下縁部に当接するための顎当て面材と、頭頂部を含めヒト頭部の上縁部に当接するための上頭部当て面材とを備えてなる適当数の弾力のある当て面材と、
前記袋体の中で交差して配されるように前記上頭部当て面材の左右両側の側頭部部位に結合された高弾性の２本の縦回り用帯紐体とを備えてなり、そして
前記横回り弾性体は、
伸縮性のあるループ帯状の袋体と、
該袋体の中に収容されそして同袋体に取付け固定された少なくとも３種の当て面材、即ちヒト頭部の左右の側縁部に当接するための左側頭部当て面材及び右側頭部当て面材と、ヒト頭部の後縁部に当接するための後頭部当て面材とを備えてなる適当数の弾力のある当て面材と、
前記袋体の中で交差して配されるように前記後頭部当て面材の左右両側の後頭前部部位に結合された高弾性の２本の横回り用帯紐体とを備えてなる
ことを特徴とする顔用ターバン。
【請求項２】
ヒト頭部のうち、下顎部、頬部、側頭部及び頭頂部に嵌め当てたとき、下顎部から頭頂部に向けて締め付けるように適合されたループ帯状の縦回り弾性体を備えてなる、顔用ターバンであって、
前記縦回り弾性体は、
伸縮性のあるループ帯状の袋体と、
該袋体の中に収容されそして同袋体に取付け固定された少なくとも２種の当て面材、即ち下顎前部を含めヒト頭部の下縁部に当接するための顎当て面材と、頭頂部を含めヒト頭部の上縁部に当接するための上頭部当て面材とを備えてなる適当数の弾力のある当て面材と、
前記袋体の中で交差して配されるように前記上頭部当て面材の左右両側の側頭部部位に結合された高弾性の２本の縦回り用帯紐体とを備えてなることを特徴とする顔用ターバン。
【請求項３】
ヒト頭部のうち、前頭部、側頭部及び後頭部に嵌め当てたとき、前頭部から後頭部に向けて締め付けるように適合されたループ帯状の横回り弾性体を備えてなる、顔用ターバンであって、
前記横回り弾性体は、
伸縮性のあるループ帯状の袋体と、
該袋体の中に収容されそして同袋体に取付け固定された少なくとも３種の当て面材、即ちヒト頭部の左右の側縁部に当接するための左側頭部当て面材及び右側頭部当て面材と、ヒト頭部の後縁部に当接するための後頭部当て面材とを備えてなる適当数の弾力のある当て面材と、
前記袋体の中で交差して配されるように前記後頭部当て面材の左右両側の後頭前部部位に結合された高弾性の２本の横回り用帯紐体とを備えてなる
ことを特徴とする顔用ターバン。
【請求項４】
前記縦回り弾性体は、次の(a)乃至(d)の各当接部がこの順に連接して形成されているこ
とを特徴とする、請求項１又は請求項２に記載の顔用ターバン。
(a)少なくとも下顎前部に当接するための部分であって、顎当て面材を袋体に取付け固定することにより、下顎骨を頭頂部に向かって引き上げる引張り力が働くように適合されている顎当接部
(b)左右の頬部の適所にそれぞれ当接するための部分であって、左頬当て面材及び右頬当て面材をそれぞれ袋体に取付け固定することにより、左右の頬骨をそれぞれ頭頂部に向かって引き上げる引張り力が働くように適合されている左頬当接部及び右頬当接部
(c)左右の側頭部の適所にそれぞれ当接するための部分であって、前記上頭部当て面材の左側頭部部位及び右側頭部部位、あるいは、前記上頭部当て面材とは別個の左側頭部当て面材及び右側頭部当て面材をそれぞれ袋体に取付け固定し、且つ交差して配設された２本の縦回り用帯紐体の端部を前記上頭部当て面材の左側頭部部位及び右側頭部部位、あるいは、該左側頭部当て面材及び右側頭部当て面材に結合することにより、左右の側頭骨をそれぞれ頭頂部に向かって引き上げる引張り力が働くように適合されている左側頭部当接部及び右側頭部当接部
(d)少なくとも頭頂部に当接するための部分であって、前記上頭部当て面材の頭頂部部位、あるいは、前記上頭部当て面材のうちの一面材である頭頂部当て面材を、２本の縦回り用帯紐体が交差する部位に近接して、袋体の中に収容されてなる頭頂部当接部
【請求項５】
前記横回り弾性体は、次の(A)乃至(D)の各当接部がこの順に連接して形成されていることを特徴とする、請求項１又は請求項３に記載の顔用ターバン。
(A)少なくとも前頭部に当接するための前頭部当接部
(B)左右の側頭部の適所にそれぞれ当接するための部分であって、左側頭部当て面材及び右側頭部当て面材をそれぞれ袋体に取付け固定することにより、左右の側頭骨をそれぞれ後頭部に向かって引き締める引張り力が働くように適合されている左側頭部当接部及び右側頭部当接部
(C)左右の側頭部の後ろ寄りの部位から後頭部の前寄りの部位までの適所にそれぞれ当接するための部分であって、前記後頭部当て面材の左後頭前部部位及び右後頭前部部位、あるいは、前記後頭部当て面材とは別個の左後頭前部当て面材及び右後頭前部当て面材をそれぞれ袋体に取付け固定し、且つ交差して配設された２本の横回り用帯紐体の端部を前記後頭部当て面材の左後頭前部部位及び右後頭前部部位、あるいは、前記左後頭前部当て面材及び右後頭前部当て面材に結合することにより、左右の側頭骨及び／又は後頭骨をそれぞれ後頭部に向かって引き締める引張り力が働くように適合されている左後頭前部当接部及び右後頭前部当接部
(D)少なくとも後頭部に当接するための部分であって、前記後頭部当て面材の後頭中央部位を、２本の横回り用帯紐体が交差する部位に近接して、袋体の中に収容されてなる後頭部当接部
【発明の詳細な説明】
【技術分野】
【０００１】
本発明は、顔及び頭を含む頭部に装着するターバンであって、詳細には、頭蓋骨の歪みを矯正して頭部のコリやむくみを解消するためのターバンに関する。
【背景技術】
【０００２】
頭蓋骨は１５種２３個の骨が組み合わさって構成される骨の集合体である。頭蓋骨を構成する各骨は、各骨の移動を殆ど許容しない縫合と称する骨間結合組織によって互いに連結されている（下顎を除く）。但しこの縫合部は、僅かながら各骨の動きを許容することにより、頭部に外圧が加わった場合においてもその力を分散させることを可能とし、また脳内の圧力を一定に保ち、脳内の血液や能脊髄液の円滑に循環させる機能を有する。
しかし一方、僅かながら動きが許容された縫合部は、例えば日頃のストレスや姿勢の悪さ、携帯電話等の電子機器の多用、歯ぎしり、不眠・睡眠不足など、日常生活の様々な要因によってずれ（歪み）や緊張が生じ易い。その結果、頭蓋骨全体の歪みやさらには頭部の筋肉のたるみや強張りなどの発生につながり、ひいては顔の歪みや顔のコリ、顔の弛みが生じるだけでなく、頭痛や吐き気等の体調不良をも引き起こし得、重度なものとなると、神経麻痺や神経圧迫、脳内の虚血の原因にまで至る虞がある。
【０００３】
これまで“顔の歪み”“顔のコリ”を解消するにあたっては、手技やローラー等の器具を用いて、美容施術者や整体師、或いは本人によるマッサージが広く行われ、顔の筋肉のひき締め等を狙って、顔の弛み矯正や顔の筋肉を鍛えることを目的とする種々の手技や器具が提案・実践されている。
例えば特許文献１（実用新案登録第３１１３８９２号公報）には、バンド要素の収縮力を利用して顔の筋肉を引っ張り、顔の弛みを矯正する美顔用のバンドとして、額から左右のこめかみにかけての部分を保持するＵ字状の水平バンド部と、顎から左右のこめかみ及び頬を通り頭頂部から幾分後方寄りの部分を保持するループ状の垂直バンドとを備える美顔バンドが提案され、また特許文献２（特開２００７−２０７０９号公報）には、頬付近の筋肉の弛み矯正や引き締め等を目的として、頬骨の下付近を被覆する個所に、頬骨付近の筋肉を押し上げる頬骨付近押上体を設けた美容具が提案されている。
【０００４】
また、頭蓋骨の歪みの解消にあたっては、整体師等の専門家による施術が為されたり、骨格矯正を目的とする種々の器具・装置等が提案されている。
例えば特許文献３（特開２００７−１１７６６３号公報）には、熟練した技能を必要とせず素人でも使用できる頭部矯正具として、頭部の周囲を囲むことのできるリングに、リングで囲まれる頭部の頭蓋骨構成骨に押し当てることができる押し当て具がリングの内側に突出して二以上設けられ、前記押し当て具を頭蓋骨構成骨に押し当ててそれら頭蓋骨を強制的に動かすことにより頭部の歪みや捩れの矯正を図った頭部矯正具が提案されている。また特許文献４（特開２０１２−３４７４４号公報）には、頭蓋骨における左右一対のテリオン縫合部における前頭骨と蝶形骨と頭頂骨との縫合部と、後頭骨とを、頭部内側に向かって押すように頭部に装着可能な頭部用バンドが提案されている。
【先行技術文献】
【特許文献】
【０００５】
【特許文献１】実用新案登録第３１１３８９２号公報
【特許文献２】特開２００７−２０７０９号公報
【特許文献３】特開２００７−１１７６６３号公報
【特許文献４】特開２０１２−３４７４４号公報
【発明の概要】
【発明が解決しようとする課題】
【０００６】
上述の特許文献１の美顔用のバンド及び特許文献２の美容具にあっては、顔の表面上の筋肉を押し上げ鍛えることを目的とし、また特許文献３の頭部矯正具や特許文献４の頭部用バンドは頭蓋骨を内側へ締め付けることにより歪みの矯正を図っているものの、頭蓋骨全体の歪みをより立体的に矯正する、すなわち、頭部内側方向への締め付けのみならず、頭蓋骨を外側へ引張るなどして、頭蓋骨を構成する各骨の配置を理想的な位置に矯正することできる器具としては、不十分であった。
【課題を解決するための手段】
【０００７】
本発明者らは上記の課題を解決すべく鋭意研究を行った結果、ヒト頭部の顎と頬と頭頂部を縦周りに嵌め当てるループ状のターバン並びにヒト頭部の額と後頭部を横周りに嵌め当てるループ状のターバンにおいて、該ターバンが接する頭部の部位に応じて、複数の弾力のある当て面材並びに高弾性の帯紐体を配することにより、下顎部から頭頂部にかけて、或いは、前頭部から後頭部に向けて、引き締め且つ引き上げる作用により、頭蓋骨を構成する各骨の配置を立体的に矯正する事ができることを見出し、本発明を完成させた。
【０００８】
すなわち、本発明は、
ヒト頭部のうち、下顎部、頬部、側頭部及び頭頂部に嵌め当てたとき、下顎部から頭頂部に向けて締め付けるように適合されたループ帯状の縦回り弾性体と、ヒト頭部のうち、前頭部、側頭部及び後頭部に嵌め当てたとき、前頭部から後頭部に向けて締め付けるように適合されたループ帯状の横回り弾性体とから構成される、顔用ターバンであって、
前記縦回り弾性体は、
伸縮性のあるループ帯状の袋体と、
該袋体の中に収容されそして同袋体に、好ましくはその前後帯縁に取付け固定された少なくとも２種の当て面材、即ち下顎前部を含めヒト頭部の下縁部に当接するための顎当て面材と、頭頂部を含めヒト頭部の上縁部に当接するための上頭部当て面材とを備えてなる適当数の弾力のある当て面材と、
前記袋体の中で交差して配されるように前記上頭部当て面材の左右両側の側頭部部位に結合された高弾性の２本の縦回り用帯紐体とを備えてなり、そして
前記横回り弾性体は、
伸縮性のあるループ帯状の袋体と、
該袋体の中に収容されそして同袋体に、好ましくはその前後帯縁に取付け固定された少なくとも３種の当て面材、即ちヒト頭部の左右の側縁部に当接するための左側頭部当て面材及び右側頭部当て面材と、ヒト頭部の後縁部に当接するための後頭部当て面材とを備えてなる適当数の弾力のある当て面材と、
前記袋体の中で交差して配されるように前記後頭部当て面材の左右両側の後頭前部部位に結合された高弾性の２本の横回り用帯紐体とを備えてなる
ことを特徴とする顔用ターバンを対象とするものである。
【０００９】
前記縦回り弾性体の態様において、次の(a)乃至(d)の各当接部がこの順に連接して形成されていることが好ましい。
(a)少なくとも下顎前部に当接するための部分であって、顎当て面材を袋体に取付け固定することにより、下顎骨を頭頂部に向かって引き上げる引張り力が働くように適合されている顎当接部
(b)左右の頬部の適所にそれぞれ当接するための部分であって、左頬当て面材及び右頬当て面材をそれぞれ袋体に取付け固定することにより、左右の頬骨をそれぞれ頭頂部に向かって引き上げる引張り力が働くように適合されている左頬当接部及び右頬当接部
(c)左右の側頭部の適所にそれぞれ当接するための部分であって、前記上頭部当て面材の左側頭部部位及び右側頭部部位、あるいは、前記上頭部当て面材とは別個の左側頭部当て
面材及び右側頭部当て面材をそれぞれ袋体に取付け固定し、且つ交差して配設された２本の縦回り用帯紐体の端部を前記上頭部当て面材の左側頭部部位及び右側頭部部位、あるいは、該左側頭部当て面材及び右側頭部当て面材に結合することにより、左右の側頭骨をそれぞれ頭頂部に向かって引き上げる引張り力が働くように適合されている左側頭部当接部及び右側頭部当接部
(d)少なくとも頭頂部に当接するための部分であって、前記上頭部当て面材の頭頂部部位、あるいは、前記上頭部当て面材のうちの一面材である頭頂部当て面材を、２本の縦回り用帯紐体が交差する部位に近接して、袋体の中に収容されてなる頭頂部当接部
【００１０】
また前記横回り弾性体の態様において、次の(A)乃至(D)の各当接部がこの順に連接して形成されていることが好ましい。
(A)少なくとも前頭部に当接するための前頭部当接部
(B)左右の側頭部の適所にそれぞれ当接するための部分であって、左側頭部当て面材及び右側頭部当て面材をそれぞれ袋体に取付け固定することにより、左右の側頭骨をそれぞれ後頭部に向かって引き締める引張り力が働くように適合されている左側頭部当接部及び右側頭部当接部
(C)左右の側頭部の後ろ寄りの部位から後頭部の前寄りの部位までの適所にそれぞれ当接するための部分であって、前記後頭部当て面材の左後頭前部部位及び右後頭前部部位、あるいは、前記後頭部当て面材とは別個の左後頭前部当て面材及び右後頭前部当て面材をそれぞれ袋体に取付け固定し、且つ交差して配設された２本の横回り用帯紐体の端部を前記後頭部当て面材の左後頭前部部位及び右後頭前部部位、あるいは、前記左後頭前部当て面材及び右後頭前部当て面材に結合することにより、左右の側頭骨及び／又は後頭骨をそれぞれ後頭部に向かって引き締める引張り力が働くように適合されている左後頭前部当接部及び右後頭前部当接部
(D)少なくとも後頭部に当接するための部分であって、前記後頭部当て面材の後頭中央部位を、２本の横回り用帯紐体が交差する部位に近接して、袋体の中に収容されてなる後頭部当接部
【発明の効果】
【００１１】
本発明の顔用ターバンは、これをヒトの頭部に嵌め当てたとき、縦回り弾性体は下顎骨、頬骨、側頭骨及び頭頂骨を頭頂部中央に向かって引き締め引き上げることができ、また横周り弾性体は、側頭骨及び後頭骨を後頭部中央に向かって引き締め引き上げることができ、それにより、頭蓋骨の歪みを矯正して頭蓋骨を構成する各骨の配置を本来あるべき位置に矯正することができる。
特に本発明の顔用ターバンは、縦周り弾性体の袋体の中に、高弾性の２本の縦周り用帯紐体を、左右一方の側頭部部位からもう一方の側頭部部位に向かって、頭頂部において交差するように配設することにより、１本の帯紐体のみを配設する或いは２本の帯紐体を並列に（交差せずに）配列するのと比べて、左右の側頭骨をそれぞれ頭頂部に向かってより効果的に引き上げる、ひいては咀嚼筋から頭頂部に向けての引き上げ効果をより高めることができる。
同様に、横周り弾性体の袋体の中に、高弾性の２本の横周り用帯紐体を、左右一方の後頭前部部位からもう一方の後頭前部部位に向かって、後頭部において交差するように配設することにより、１本の帯紐体のみを配設する或いは２本の帯紐体を並列に（交差せずに）配列するのと比べて、左右の側頭骨及び／又は後頭骨をそれぞれ後頭部に向かってより効果的に引き締める、ひいては咀嚼筋から後頭部に向けての引き締め効果をより高めることができる。
さらに本発明の顔用ターバンは、縦周り弾性体にあっては、例えば当て面材の枚数を下（下顎）から上（頭頂）に向かって変化させることにより、縦周り弾性体が当接する部位毎に加える圧力を変化させることを実現し、頭蓋骨を構成する各骨（特に下顎骨、頬骨、側頭骨及び頭頂骨）の配置を立体的に矯正するとともに、表情筋の押上げによるリフトア
ップ効果も得ることができる。
また横周り弾性体にあっては、同様に例えば当て面材の枚数を前（前頭）から後ろ（後頭）に向かって変化させることにより、横周り弾性体が当接する部位毎に加える圧力を変化させることを実現し、頭蓋骨を構成する各骨（特に前頭骨、側頭骨、及び後頭骨）の配置を立体的に矯正するとともに、表情筋を後ろ中心に引き寄せることによるリフトアップ効果も得ることができる。
そして本発明の顔用ターバンは、美容施術者や整体師といった他人の手を借りずとも、ヒトの頭部に嵌め当てるだけで頭蓋骨の歪みを矯正する効果を得ることができる。また、本発明の顔用ターバンは、頭部に嵌め当てるための特別な技術や調整を必要とせず、使用者が一人で自身の頭部に装着し、上述の効果を得ることができる。そのため、日常的な使用が可能となり、すなわち頭蓋骨の歪みを日常的に矯正することができ、ひいては、頭蓋骨の歪みによって引き起こされる種々の症状を解消或いは緩和することができる。
【図面の簡単な説明】
【００１２】
【図１】図１は、本発明の顔用ターバン１における縦周り弾性体２と横周り弾性体１０をヒト頭部に嵌め当て使用した図である。
【図２】図２は、本発明の縦周り弾性体２の一態様を示す平面図を示す図である。
【図３】図３は、本発明の横周り弾性体１０の一態様を示す平面図を示す図である。
【図４】図４は、本発明の顔用ターバン１の立体図を示す図であり、縦周り弾性体２の立体図（図４（ａ））及び横周り弾性体１０の立体図（図４（ｂ））をそれぞれ示す。
【図５】図５は、本発明の縦周り弾性体２の一態様を示す平面図を示す図である。
【図６】図６は、本発明の横周り弾性体１０の一態様を示す平面図を示す図である。
【図７】図７は、本発明の顔用ターバン１をヒト頭部に当て嵌め当てた外観図を示し、（ａ）縦周り弾性体２をヒト頭部に嵌め当てた図、（ｂ）横周り弾性体１０をヒト頭部に嵌め当てた図、（ｃ）縦周り弾性体２及び横周り弾性体１０をヒト頭部に嵌め当てた図をそれぞれ示す。
【発明を実施するための形態】
【００１３】
本発明の顔用ターバンは、ヒト頭部のうち、下顎部、頬部、側頭部及び頭頂部に嵌め当てたとき、下顎部から頭頂部に向けて締め付けるように適合されたループ帯状の縦回り弾性体と、ヒト頭部のうち、前頭部、側頭部及び後頭部に嵌め当てたとき、前頭部から後頭部に向けて締め付けるように適合されたループ帯状の横回り弾性体とから構成される。
なお本発明においては、上記縦周り弾性体を備える顔用ターバン、或いは上記横周り弾性体を備える顔用ターバンも対象とする。
以下、上記縦周り弾性体と、横周り弾性体のそれぞれについて詳述する。
【００１４】
［縦周り弾性体］
縦周り弾性体は、１）伸縮性のあるループ帯状の袋体と、２）該袋体の中に収容されそして同袋体に、好ましくはその前後帯縁に取付け固定された少なくとも２種の当て面材、即ち下顎前部を含めヒト頭部の下縁部に当接するための顎当て面材と、頭頂部を含めヒト頭部の上縁部に当接するための上頭部当て面材とを備えてなる適当数の弾力のある当て面材と、３）前記袋体の中で交差して配されるように前記上頭部当て面材の左右両側の側頭部部位に結合された高弾性の２本の縦回り用帯紐体とを備えてなる。
上記ループ帯状の袋体及び適当数の弾力のある当て面材は、例えば、ナイロン、ポリウレタン、ポリエステル等の合成繊維からなる弾性糸で編んだ布材料からなることが好ましい。一例として、１０〜２０Ｎの伸長率を有する弾性布材料からなることが好ましく、特にポリウレタン繊維（スパンデックス）を使用した弾性布、例えばポリエステル−ポリウレタン系弾性布、或いは、ナイロン−ポリウレタン系弾性布を好適に用いることができるこれらの混合比は任意であるが、一例としてポリエステル８０％−ポリウレタン２０％、或いは、ナイロン８０％−ポリウレタン２０％の混合素材による弾性布が挙げられる。こ
うした合成繊維からなる弾性糸で編んだ布材料を袋体や当て面材に用いることにより、洗濯が容易であり、また入浴等における濡れた環境下においても顔用ターバンを使用することができる。また当て面材は、当接する部位に応じて所望の引張弾性率を得るべく、複数枚を重ねて使用してもよいし、異なる引張弾性率を有する材料を使用してもよく、このような構成とすることにより、各当接する部位に応じて引き締め力を段階的に調整できる。
また高弾性の縦周り用帯紐体は、公知の天然ゴムや合成ゴム等のゴム状弾性を有する材料からなり、例えばポリエステル系ウレタンゴムやポリエーテル系ウレタンゴム等の合成ゴムを好適に使用できる。
縦周り弾性体の大きさはヒト頭部に嵌め当てたとき、後述する各当接部において所定の引き締め力を作用させることができる大きさであり、且つ、嵌め当てたときにヒト頭部の各部分（例：目、耳など）を必要以上に覆うことがないような大きさであれば特に限定されず、例えば成人女性を対象とした場合には、幅を５〜１２ｃｍ、周囲径を４０〜６０ｃｍの程度の範囲で適宜選択することができる。また、縦周り弾性体は、後述する各当接部に応じて、その幅を変化させることができる。
【００１５】
前記縦回り弾性体は、以下の（ａ）顎当接部、（ｂ）左頬当接部及び右頬当接部、（ｃ）左側頭部当接部及び右側頭部当接部、及び（ｄ）頭頂部当接部がこの順に連接して形成してなることが好ましい。
【００１６】
（ａ）顎当接部は、少なくとも下顎前部に当接するための部分であって、顎当て面材を袋体に取付け固定することにより、下顎骨を頭頂部に向かって引き上げる引張り力が働くように適合されている部分である。
前記顎当て面材は、顎当接部全域或いはその一部に取付け固定することができ、但し、下顎骨の先端（おとがい部）部の少なくとも一部が当接する部分に該顎当て面材を取付け固定することにより、下顎骨を頭頂部に向かって引き上げる引張り力を効率的に働かせることができるため好ましい。
【００１７】
（ｂ）左頬当接部及び右頬当接部は、左右の頬部の適所にそれぞれ当接するための部分であって、左頬当て面材及び右頬当て面材をそれぞれ袋体に取付け固定することにより、左右の頬骨をそれぞれ頭頂部に向かって引き上げる引張り力が働くように適合されている部分である。
前記左頬当て面材及び右頬当て面材は、左頬当接部及び右頬当接部のそれぞれ全域或いはその一部に取付け固定することができ、但し左右の頬骨の少なくとも一部が当接する部分には各頬当て面材を配することにより、頬骨を頭頂部に向かって引き上げる引張り力を効率的に働かせることができるため好ましい。
【００１８】
（ｃ）左側頭部当接部及び右側頭部当接部は、左右の側頭部の適所にそれぞれ当接するための部分であって、前記上頭部当て面材の左側頭部部位及び右側頭部部位、あるいは、前記上頭部当て面材とは別個の左側頭部当て面材及び右側頭部当て面材をそれぞれ袋体に取付け固定してなる部分である。そして交差して配設された２本の縦回り用帯紐体の端部を前記上頭部当て面材の左側頭部部位及び右側頭部部位、あるいは、該左側頭部当て面材及び右側頭部当て面材に結合することにより、左右の側頭骨をそれぞれ頭頂部に向かって引き上げる引張り力が働くように適合されている部分である。
前記上頭部当て面材或いは左側頭部当て面材及び右側頭部当て面材は、左側頭部当接部及び右側頭部当接部のそれぞれ全域或いはその一部に取付け固定することができ、但し、左右の側頭骨の少なくとも一部が当接する部分には、これら当て面材を配することにより、側頭骨を頭頂部に向かって引き上げる引張り力を効率的に働かせることができるため好ましい。
【００１９】
そして（ｄ）頭頂部当接部は、少なくとも頭頂部に当接するための部分であって、前記
上頭部当て面材の頭頂部部位、あるいは、該上頭部当て面材及びこれとは別個の頭頂部当て面材を、２本の縦回り用帯紐体が交差する部位に近接して、袋体の中に収容されてなる部分である。
前記上頭部当て面材及び頭頂部当て面材は、頭頂部当接部の全域或いはその一部に取付け固定することができるが、好ましくは頭頂部当接部の全域に配することにより、頭頂骨を頭頂部中央に向かって引き締め引き上げる引張力を効率的に働かせることができるため好ましい。
【００２０】
なお、特に、（ｂ）左頬当接部及び右頬当接部における左右の頬骨の少なくとも一部が当接する部分と、（ｃ）左側頭部当接部及び右側頭部当接部における左右の側頭骨の少なくとも一部が当接する部分は、当て面材の枚数等を変化させることなどにより他の部分よりも引張力を高めることにより、頭蓋骨を構成する各骨の歪みに対してより効率的に引張力を作用させることができるため好ましい。
【００２１】
［横周り弾性体］
横周り弾性体は、１）伸縮性のあるループ帯状の袋体と、２）該袋体の中に収容されそして同袋体に、好ましくはその前後帯縁に取付け固定された少なくとも３種の当て面材、即ちヒト頭部の左右の側縁部に当接するための左側頭部当て面材及び右側頭部当て面材と、ヒト頭部の後縁部に当接するための後頭部当て面材とを備えてなる適当数の弾力のある当て面材と、３）前記袋体の中で交差して配されるように前記後頭部当て面材の左右両側の後頭前部部位に結合された高弾性の２本の横回り用帯紐体とを備えてなる。
上記ループ帯状の袋体及び適当数の弾力のある当て面材、並びに、高弾性の横周り用帯紐体は、前述の［縦周り弾性体］で挙げた材料と同様のものを選択することができ、また当て面材は、当接する部位に応じて所望の引張弾性率を得るべく、複数枚の使用や異なる引張弾性率を有する材料を選択するなどにより、各当接する部位に応じて引き締め力を段階的に調整してもよい。
また横周り弾性体の大きさはヒト頭部に嵌め当てたとき、後述する各当接部において所定の引き締め力を作用させることができる大きさであり、且つ、嵌め当てたときにヒト頭部の各部分（例：目、耳など）を必要以上に覆うことがないような大きさであれば特に限定されず、例えば成人女性を対象とした場合には、幅を５〜１２ｃｍ、周囲径を４０〜６０ｃｍの程度の範囲で適宜選択することができる。また、横周り弾性体においても、後述する各当接部に応じて、その幅を変化させることができる。
【００２２】
前記横回り弾性体は、以下の（Ａ）前頭部当接部、（Ｂ）左側頭部当接部及び右側頭部当接部、（Ｃ）左後頭前部当接部及び右後頭前部当接部、及び（Ｄ）後頭部当接部がこの順に連接して形成してなることが好ましい。
【００２３】
（Ａ）前頭部当接部は、少なくとも前頭部に当接するための部分である。
本当接部は、当て面材を袋体に取付け固定してもよいが、前頭部（額）の過度な締め付けは不快感やひいては頭痛の原因となり得るため、当て面材を配しない態様とすることができる。
【００２４】
（Ｂ）左側頭部当接部及び右側頭部当接部は、左右の側頭部の適所にそれぞれ当接するための部分であって、左側頭部当て面材及び右側頭部当て面材をそれぞれ袋体に取付け固定することにより、左右の側頭骨をそれぞれ後頭部に向かって引き締める引張り力が働くように適合されている部分である。
前記左側頭部当て面材及び右側頭部当て面材は、左側頭部当接部及び右側頭部当接部のぞれぞれ全域或いはその一部に取付け固定することができ、但し左右の側頭骨の少なくとも一部が当接する部分には各側頭部当て面材を取付け固定することにより、側頭骨を後頭部に向かって引き締める引張り力を効率的に働かせることができるため好ましい。
【００２５】
（Ｃ）左後頭前部当接部及び右後頭前部当接部は、左右の側頭部の後ろ寄りの部位から後頭部の前寄りの部位までの適所にそれぞれ当接するための部分であって、前記後頭部当て面材の左後頭前部部位及び右後頭前部部位、あるいは、前記後頭部当て面材とは別個の左後頭前部当て面材及び右後頭前部当て面材をそれぞれ袋体に取付け固定してなる部分である。そして交差して配設された２本の横回り用帯紐体の端部を前記後頭部当て面材の左後頭前部部位及び右後頭前部部位、あるいは、前記左後頭前部当て面材及び右後頭前部当て面材に結合することにより、左右の側頭骨及び／又は後頭骨をそれぞれ後頭部に向かって引き締める引張り力が働くように適合されている部分である。
前記後頭部当て面材或いは左後頭前部当て面材及び右後頭前部当て面材は、左後頭前部当接部及び右後頭前部当接部のそれぞれ全域或いはその一部に取付け固定することができ、但し、左右の側頭骨の少なくとも一部が当接する部分には、これら当て面材を配することにより、側頭骨を後頭部に向かって引き締める引張り力を効率的に働かせることができるため好ましい。
【００２６】
そして（Ｄ）後頭部当接部は、少なくとも後頭部に当接するための部分であって、前記後頭部当て面材の後頭中央部位を、２本の横回り用帯紐体が交差する部位に近接して、袋体の中に収容されてなる部分である。
前記後頭部当て面材は、後頭部当接部の全域或いはその一部に取付け固定することができるが、好ましくは後頭部当接部の全域に配することにより、後頭骨を後頭部中央に向かって引き締め引き上げる引張力を効率的に働かせることができるため好ましい。
【００２７】
なお、特に、（Ｂ）左側頭部当接部及び右側頭部当接部における左右の側頭骨の少なくとも一部が当接する部分と、（Ｃ）左後頭前部当接部及び右後頭前部当接部における左右の側頭骨の少なくとも一部が当接する部分は、当て面材の枚数等を変化させることなどにより他の部分よりも引張力を高めることにより、頭蓋骨を構成する各骨の歪みに対してより効率的に引張力を作用させることができるため好ましい。
【００２８】
図１に本発明の顔用ターバン１における縦周り弾性体２と横周り弾性体１０をヒト頭部に嵌め当て使用した図を示す。
図１に示すように、縦周り弾性体は特に下顎骨、頬骨、側頭骨及び頭頂骨に作用すべく、下顎部、頬部、側頭部及び頭頂部に嵌め当てられ、また横周り弾性体は特に前頭骨、側頭骨及び後頭骨に作用するべく、前頭部、側頭部及び後頭部に嵌め当てられ、使用される。
本発明の顔用ターバン１（縦回り弾性体２、横周り弾性体１０）の嵌め当て時間（装着時間）は特に限定されないが、頭蓋骨の歪みを矯正して頭蓋骨を構成する各骨の配置を本来あるべき位置に矯正する効果を得るには、毎日朝晩各５分程度装着することが好ましい。
【実施例】
【００２９】
以下に、本発明の特徴をさらに明らかにするため実施例を示すが、本発明はこれらの実施例によって何ら制限されるものではない。
【００３０】
実施例１：縦周り弾性体
図２に、本発明の縦周り弾性体２の一態様を示す平面図を示す。ヒト頭部に縦周り弾性体を嵌め当てる際、図２に示すＸ（Ｘ’）をヒト頭部の前頭側（鼻側）に、またＹ（Ｙ’）をヒト頭部の後頭側となるように装着する。本図ではヒト頭部の左側に当接する部分が示されており、右側部分は図示されない。
図２に示すように、縦周り弾性体２は、顎当接部２１、左頬当接部２２−１（及び右頬当接部２２−２）、左側頭部当接部２３−１（及び右側頭部当接部２３−２）、頭頂部当
接部２４がこの順に連接して形成されている。本例においては、ＸからＹに向かって、各当接部が斜め上方向に形成され、これにより、下顎部から頭頂部に向けて効率的に引き上げる引張力を生み出すことができる。
【００３１】
各当接部には、図示されない当て面材３が適宜取付固定されている。
詳細には、顎当接部２１においては、下顎骨の先端（おとがい部）部の少なくとも一部が当接する部分である２１ａにおいて、当て面材３がない部分に比べて約１．５倍の引張弾性率を有するように当て面材３（顎当て面材３１）が取付け固定される。
左頬当接部２２−１（及び右頬当接部２２−２）においては、左右の頬骨の少なくとも一部が当接する部分である２２ａ−１（及び２２ａ−２）においては、当て面材３がない部分に比べて約２倍の引張弾性率を有するように当て面材３が取付け固定され（左頬当て面材３２ａ−１（及び右頬当て面材３２ａ−２））、その他の２２ｂ（及び２２ｂ−２）においては、当て面材３がない部分に比べて約１．５倍の引張弾性率を有するように当て面材３が取付け固定される（左頬当て面材３２ｂ−１（及び右頬当て面材３２ｂ−２））。
左側頭部当接部２３−１（及び右側頭部当接部２３−２）には、全域に渡って当て面材３がない部分に比べて約２倍の引張弾性率を有するように当て面材３が取付け固定され（左側頭部当て面材３３−１（及び右側頭部当て面材３３−２））、そして頭頂部当接部２４には、全域に渡って当て面材３がない部分に比べて約１．５倍の引張弾性率を有するように当て面材３が取付け固定されている（頭頂部当て面材３４）。
【００３２】
また、左側頭部当接部２３−１（及び右側頭部当接部２３−２）及び頭頂部当接部２４には、２本の縦回り用帯紐体４ａ、４ｂが交差して配設され、左側頭部当接部及び右側頭部当接部２３において、そこに配される当て面材に縦回り用帯紐体４ａ、４ｂの各端部がそれぞれ結合されてなる。
【００３３】
一例として図５に示すように、縦周り弾性体２を以下の寸法にて製造した。
図５に示すように、長さＡ２６ｃｍ、幅Ｂ−１  ７ｃｍ、幅Ｂ−２  ９．５ｃｍとなるように、表布及び裏布として布材［クールマリン（登録商標）（旭化成アドバンス（株）、ポリエステル８０％、ポリウレタン２０％）、伸長率１４．７Ｎ］より２枚ずつ切り出した。なお表布、裏布のいずれも、その上縁において角Ｒ：５０ｍｍの丸みを、下縁において各Ｒ：１ｃｍの丸みを、前後双方に施した。
２枚の表布を重ねてその上下縁同士を縫製し、ループ帯状の表布とした。また各裏布の所定位置（各当接部）に各当て面材としてナイロン−ポリウレタン製布材［ナイロン８０％、ポリウレタン２０％、伸長率１４．７Ｎ］を取付け縫製した後、２枚の裏布を重ねてその上下縁同士を縫製し、ループ帯状の裏布とした。ループ帯状の裏布の所定位置の当接部に縦周り用帯紐体（ポリエステル系ウレタンゴム、長さ×幅：約２４０ｍｍ×２０ｍｍ程度）の端部を取付け縫製した後、ループ帯状の表布と、当て面材及び縦周り用帯紐体が取り付けられたループ帯状の裏布を、当て面材及び帯紐体が内包されるように重ね、両縁を縫製してループ帯状の袋体とし、縦周り弾性体２を製造した。
【００３４】
図５（及び図２参照）に示すように、顎当接部２１（図５では左側半分のみ）においてＣ−１が４ｃｍ、Ｃ−２が８ｃｍ、左頬当接部２２−１（及び右頬当接部２２−２）においてＤ−１及びＤ−２が６ｃｍ、左側頭部当接部２３−１（及び右側頭部当接部２３−２）においてＥ−１及びＥ−２が５ｃｍ、頭頂部当接部２４（図５では左側半分のみ）においてＦ−１が１１ｃｍ及びＦ−２が７ｃｍとなるように設定した。
顎当て面材３１は、顎当接部２１と左頬当接部２２−１（及び右頬当接部２２−２）の連接部から、１ｃｍ下方の顎当接部２１の部分に取付け固定し、このとき、顎当て面材３１が取付け固定される２１ａをＣ−１−ａを３ｃｍ、Ｃ−２−ａを５ｃｍとなるように設定した。
左頬当て面材３２ａ−１（及び右頬当て面材３２ａ−２）は、Ｄ−１−ａ及びＤ−２−ａが５ｃｍとなるように、また左頬当て面材３２ｂ−１（及び右頬当て面材３２ｂ−２を）Ｄ−１−ｂ及びＤ−２−ｂが１ｃｍとなるように、それぞれ左頬当接部２２−１（及び右頬当接部２２−２）に取付け固定した。
左側頭部当て面材３３−１（及び右側頭部当て面材３３−２）は、Ｅ−１及びＥ−２が５ｃｍとなるように、左側頭部当接部２３−１（及び右側頭部当接部２３−２）に取付け固定した。
そして頭頂部当て面材３４は、Ｆ−１が１１ｃｍ、Ｆ−２が７ｃｍとなるように頭頂部当接部２４に取付け固定した。
なお本例では、まず左頬当て面材３２ａ−１、左頬当て面材３２ｂ−１、左側頭部当て面材３３−１及び左側面の頭頂部当て面材３４を１枚の連続した材料とし、図示されないが同様に右頬当て面材３２ａ−２、右頬当て面材３２ｂ−２、右側頭部当て面材３３−２及び右側面の頭頂部当て面材３４を１枚の連続した材料とした。そして左頬当て面材３２ａ−１（及び右頬当て面材３２ａ−２）及び左側頭部当て面材３３−１（及び右側頭部当て面材３３−２）に該当する部分における面材を２枚重ねとして各当て面材を形成し、各当接する部位に応じて引き締め力を段階的に調整できように、各当て面材を各当接部に取り付け固定した。
【００３５】
実施例２：横周り弾性体
図３に、本発明の横周り弾性体１０の一態様を示す平面図を示す。なおヒト頭部に横周り弾性体を嵌め当てる際、図３に示すＰ（Ｐ’）を上側（頭頂側）に、Ｑ（Ｑ’）を下側となるように装着する。本図ではヒト頭部の左側に当接する部分が示され、右側部分は図示されない。
図３に示すように、横周り弾性体１０は、前頭部当接部１０１、左側頭部当接部１０２−１（及び右側頭部当接部１０２−２）、左後頭前部当接部１０３−１（及び右後頭前部当接部１０３−２）、後頭部当接部１０４がこの順に連接して形成されている。本例においては、ＱからＰ（下から上）に向かって、各当接部が斜め前方向に形成され、これにより、前頭部から後頭部に向けて効率的に引き締める引張力を生み出すことができる。
【００３６】
各当接部には、図示されない当て面材１１が適宜取付固定されており、但し本例においては、前頭当接部１０１においては当て面材１１を収容せず、引き締め力を弱めている。
左側頭部当接部１０２−１（及び右側頭部当接部１０２−２）において、左右の側頭骨の少なくとも一部が当接する部分である１０２ａ−１（及び１０２ａ−２）においては、当て面材３がない部分に比べて約２倍の引張弾性率を有するように当て面材３が取付け固定され（左側頭部当て面材１１２ａ−１（及び右側頭部当て面材１１２ａ−２））、その他の１０２ｂ−１（及び１０２ｂ−２）においては、当て面材３がない部分に比べて約１．５倍の引張弾性率を有するように当て面材３が取付け固定される（左側頭部当て面材１１２ｂ−１（及び右側頭部当て面材１１２ｂ−２））。
左後頭前部当接部１０３−１（及び右後頭前部当接部１０３−２）には、全域に渡って当て面材３がない部分に比べて約２倍の引張弾性率を有するように当て面材３が取付け固定され（左後頭前部当て面材１１３−１（及び右後頭前部当て面材１１３−２））、そして後頭部当接部１０４には、全域に渡って当て面材３がない部分に比べて約１．５倍の引張弾性率を有するように当て面材３が取付け固定されている（後頭部当て面材１１４）。
【００３７】
また左後頭前部当接部１０３−１（及び右後頭前部当接部１０３−２）並びに後頭部当接部１０４には、２本の縦回り用帯紐体１２ａ、１２ｂが交差して配設され、左後頭前部当接部１０３−１（及び右後頭前部当接部１０３−２）において、そこに配される当て面材に縦回り用帯紐体１２ａ、１２ｂの各端部がそれぞれ結合されてなる。
【００３８】
一例として図６に示すように、横周り弾性体１０を以下の寸法にて製造した。
図６に示すように、長さＳ２４ｃｍ（全体長さ４８ｃｍ）、幅Ｔ７ｃｍとなるように、表布及び裏布として布材［クールマリン（登録商標）（旭化成アドバンス（株）、ポリエステル８０％、ポリウレタン２０％）、伸長率１４．７Ｎ］より切り出した。なお、図中のＰ−Ｑは二つ折り部分である。
表布を二つ折りにし、ループ状となるようにその縁同士を縫製し、ループ帯状の表布とした。また各裏布の所定位置（各当接部）に各当て面材としてナイロン−ポリウレタン製布材［ナイロン８０％、ポリウレタン２０％、伸長率１４．７Ｎ］を取付け縫製した後、裏布を二つ折りにし、ループ状となるようにその縁同士を縫製し、ループ帯状の裏布とした。ループ帯状の裏布の所定位置の当接部に横周り用帯紐体（ポリエステル系ウレタンゴム、長さ×幅：約１２０ｍｍ×２０ｍｍ程度）の端部を取付け縫製した後、ループ帯状の表布と、当て面材及び横周り用帯紐体が取り付けられたループ帯状の裏布を、当て面材及び帯紐体が内包されるように重ね、両縁を縫製してループ帯状の袋体とし、横縦周り弾性体１０を製造した。
【００３９】
図６（及び図３参照）に示すように、前頭部当接部１０１（図６では左側半分のみ）においてＵ−１が１０ｃｍ、Ｕ−２が１２ｃｍ、左側頭部当接部１０２−１（及び右側頭部当接部１０２−２）においてＶ−１及びＶ−２が６ｃｍ、左後頭前部当接部１０３−１（及び右後頭前部当接部１０３−２）においてＷ−１及びＷ−２が４ｃｍ、後頭部当接部１０４（図６では左側半分のみ）においてＸ−１が４ｃｍ、Ｘ−２が２ｃｍとなるように設定した。
左側頭部当て面材１１２ａ−１（及び右側頭部当て面材１１２ａ−２）は、Ｖ−１−ａ及びＶ−２−ａが４ｃｍとなるように、また左側頭部当て面材１１２ｂ−１（及び右側頭部当て面材１１２ｂ−２）はＶ−１−ｂ及びＶ−２−ｂが２ｃｍとなるように、それぞれ左側頭部当接部１０２−１（及び右側頭部当接部１０２−２）に取付け固定した。
左後頭前部当て面材１１３−１（及び右後頭前部当て面材１１３−２）は、Ｗ−１及びＷ−２が４ｃｍとなるように、左後頭前部当接部１０３−１（及び右後頭前部当接部１０３−２）に取付け固定した。
そして後頭部当て面材１１４は、Ｘ−１が４ｃｍ、Ｘ−２が２ｃｍとなるように、後頭部当接部１０４に取付け固定した。
なお本例では、まず左側頭部当て面材１１２ａ−１、左側頭部当て面材１１２ｂ−１、左後頭前部当て面材１１３−１及び左側面の後頭部当て面材１１４を１枚の連続した材料とし、図示されないが同様に右側頭部当て面材１１２ａ−２、右側頭部当て面材１１２ｂ−２、右後頭前部当て面材１１３−２及び右側面の後頭部当て面材１１４を１枚の連続した材料とした。そして、左側頭部当て面材１１２ａ−１（及び右側頭部当て面材１１２ａ−２）及び左後頭前部当て面材１１３−１（及び右後頭前部当て面材１１３−２）に該当する部分における面材を２枚重ねとして各当て面材を形成し、各当接する部位に応じて引き締め力を段階的に調整できように、各当て面材を各当接部に取り付け固定した。
【００４０】
図４に、縦周り弾性体２の立体図（図４（ａ））及び横周り弾性体１０の立体図（図４（ｂ））を示す。
【００４１】
図４（ａ）に示すように、縦周り弾性体２は、顎当接部２１から左回りで左頬当接部２２−１、左側頭部当接部２３−１、頭頂部当接部２４、右側頭部当接部２３−２、右頬当接部２２−２（そして顎当接部２１）の順にて連接して形成されてなる。
顎当接部２１には顎当て面材３１が取付られ、左頬当接部２２−１には左頬当て面材３２ａ−１、３２ｂ−１が、右頬当接部２２−２には右頬当て面材３２ａ−２、３２ｂ−２がそれぞれ取り付けられ、左側頭部当接部２３−１には左側頭部当て面材３３−１が、右側頭部当接部２３−２には右側頭部当て面材３３−２がそれぞれ取り付けられ、頭頂部当接部２４には頭頂部当て面材３４が取り付けられる。
そして左側頭部当接部２３−１、頭頂部当接部２４、右側頭部当接部２３−２に亘って
縦回り用帯紐体４ａ、４ｂが交差して配設され、該帯紐体は左側頭部当接部２３−１の左側頭部当て面材３３−１及び右側頭部当接部２３−２の右側頭部当て面材３３−２にそれぞれ結合される。
【００４２】
図４（ｂ）に示すように、横周り弾性体１０は、前頭部当接部１０１から左回りで左側頭部当接部１０２−１、左後頭前部当接部１０３−１、後頭部当接部１０４、右後頭前部当接部１０３−２、右側頭部当接部１０２−２（そして前頭部当接部１０１）の順にて連接して形成されてなる。
左側頭部当接部１０２−１には左側頭部当て面材１１２ａ−１、１１２ｂ−１が、右側頭部当接部１０２−２には右側頭部当て面材１１２ａ−２、１１２ｂ−２がそれぞれ取り付けられ、左後頭前部当接部１０３−１には左後頭前部当て面材１１３−１が、右後頭前部当接部１０３−２には右後頭前部当て面材１１３−２がそれぞれ取り付けられ、後頭部当接部１０４には後頭部当て面材１１４）が取り付けられる。
そして左後頭前部当接部１０３−１、後頭部当接部１０４、右後頭前部当接部１０３−２に亘って横周り用帯紐体１２ａ、１２ｂが交差して配設され、該帯紐帯は左後頭前部当接部１０３−１の左後頭前部当て面材１１３−１、右後頭前部当接部１０３−２の右後頭前部当て面材１１３−２にそれぞれ結合される。
【００４３】
図７に、本発明の顔用ターバン１をヒト頭部に当て嵌め当てた外観図として、（ａ）縦周り弾性体２をヒト頭部に嵌め当てた図、（ｂ）横周り弾性体１０をヒト頭部に嵌め当てた図、（ｃ）縦周り弾性体２及び横周り弾性体１０をヒト頭部に嵌め当てた図をそれぞれ示す。なお縦周り弾性体２及び横周り弾性体１０を一緒に嵌め当てる場合、どちらを先に嵌め当ててもよい。
本図に示すように、縦回り弾性体２は下顎部、頬部、側頭部及び頭頂部に当接して、下顎骨、頬骨、側頭骨及び頭頂骨を頭頂部中央に向かって引き締め引き上げることができ、また横周り弾性体１０は、前頭部、側頭部及び後頭部に当接して、側頭骨及び後頭骨を後頭部中央に向かって引き締め引き上げることができる。
【符号の説明】
【００４４】
１  顔用ターバン
２  縦周り弾性体
２１  顎当接部
２２  頬当接部
２２−１（２２ａ−１、２２ｂ−１）：左頬当接部
２２−２（２２ａ−２、２２ｂ−２）：右頬当接部
２３  側頭部当接部
２３−１：左側頭部当接部  ２３−２：右側頭部当接部
２４  頭頂部当接部
３  当て面材
３１  顎当て面材
３２  頬当て面材
３２−１（３２ａ−１、３２ｂ−１）：左頬当て面材
３２−２（３２ａ−２、３２ｂ−２）：右頬当て面材
３３  側頭部当て面材
３３−１：左側頭部当て面材  ３３−２：右側頭部当て面材
３４  頭頂部当て面材
４  縦回り用帯紐体（４ａ、４ｂ）
１０  横周り弾性体
１０１  前頭部当接部
１０２  側頭部当接部
１０２−１（１０２ａ−１、１０２ｂ−１）：左側頭部当接部
１０２−２（１０２ａ−２、１０２ｂ−２）：右側頭部当接部
１０３  後頭前部当接部
１０３−１：左後頭前部当接部  １０３−２：右後頭前部当接部
１０４  後頭部当接部
１１  当て面材
１１２  側頭部当て面材
１１２−１（１１２ａ−１、１１２ｂ−１）：左側頭部当て面材
１１２−２（１１２ａ−２、１１２ｂ−２）：右側頭部当て面材
１１３  後頭前部当て面材
１１３−１：左後頭前部当て面材  １１３−２：右後頭前部当て面材
１１４  後頭部当て面材
１２  縦回り用帯紐体（１２ａ、１２ｂ）
【図１】
0006385908.tif 000002
【図２】
0006385908.tif 000003
【図３】
0006385908.tif 000004
【図４】
0006385908.tif 000005
【図５】
0006385908.tif 000006
【図６】
0006385908.tif 000007
【図７】
0006385908.tif 000008